【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
複数の外部装置からの映像データのうち表示すべき映像データを選択的に受信する受信手段と、
前記受信手段で受信した前記映像データを表示処理する表示処理手段と、
前記表示処理手段によって前記映像データが表示処理されている間になされた、表示すべき映像データの切替操作とその操作時刻を示す履歴情報を記録する記録手段と、
前記履歴情報に従って前記切替操作の前後の映像データを再表示するために、該当する映像データを取得して再生するように前記履歴情報に従って前記受信手段を制御する再生制御手段と、を備えることを特徴とする表示処理装置。
【請求項２】
外部装置から映像データを受信する受信手段と、
前記受信手段で受信した前記映像データを表示処理する表示処理手段と、
前記表示処理手段によって前記映像データが表示処理されている間に、前記映像データに所定の映像処理を施して表示させるための映像処理操作を受け付けた場合に、前記映像処理操作とその操作時刻を示す履歴情報を記録する記録手段と、
前記履歴情報に従って映像処理が施される前後の映像データを再表示するために、該当する映像データを取得して再生するように前記履歴情報に従って前記受信手段を制御するとともに、前記履歴情報が示す操作時刻と映像処理操作に従って、前記受信手段で受信した映像データに映像処理を施し、前記表示処理手段に表示処理させる再生制御手段と、を備えることを特徴とする表示処理装置。
【請求項３】
外部装置から映像データを受信する受信手段と、
前記受信手段で受信した前記映像データを表示処理する表示処理手段と、
前記表示処理手段によって前記映像データが表示処理されている間に前記映像データに所定の映像処理を施して表示させるための映像処理操作を受け付けた場合に、前記映像処理操作とその操作時刻を示す履歴情報を記録する記録手段と、
前記履歴情報に従って映像処理が施される前後の映像データを再表示するために、該当する映像データを取得して再生するように前記履歴情報に従って前記受信手段を制御するとともに、前記履歴情報が示す映像処理操作により施される映像処理を前記受信手段で受信する映像データの配信元である外部装置に実行させるコマンドを前記履歴情報が示す時刻情報に従って発行し、前記配信元である外部装置より映像処理が施された映像データを受信して、前記表示処理手段に表示処理させる再生制御手段と、を備えることを特徴とする表示処理装置。
【請求項４】
前記映像処理操作は、映像のトリミング処理の操作及び映像のリサイズ処理の操作の少なくとも何れかを含むことを特徴とする請求項２または３に記載の表示処理装置。
【請求項５】
複数のサイズの映像データを送信可能な外部装置から映像データを受信する受信手段と、
前記受信手段で受信した前記映像データを表示処理する表示処理手段と、
前記表示処理手段によって前記映像データが表示処理されている間に受信する映像サイズの切替操作を受け付けた場合に、前記切替操作とその操作時刻を示す履歴情報を記録する記録手段と、
前記履歴情報に従って前記切替操作の前後の映像サイズの映像データを再表示するために、該当するサイズで該当する映像データを取得して再生するように、前記履歴情報に従って前記受信手段によって受信する映像データを切り替える再生制御手段と、を有することを特徴とする表示処理装置。
【請求項６】
受信手段が、複数の外部装置からの映像データのうち表示すべき映像データを選択的に受信する受信工程と、
表示処理手段が、前記受信工程で受信した前記映像データを表示処理する表示処理工程と、
記録制御手段が、前記表示処理工程によって前記映像データが表示処理されている間になされた、表示すべき映像データの切替操作とその操作時刻を示す履歴情報をメモリに記録する記録工程と、
再生制御手段が、前記履歴情報に従って前記切替操作の前後の映像データを再表示するために、該当する映像データを取得して再生するように前記履歴情報に従って前記受信工程における受信を制御する再生制御工程と、を有することを特徴とする表示処理装置の制御方法。
【請求項７】
受信手段が、外部装置から映像データを受信する受信工程と、
表示処理手段が、前記受信工程で受信した前記映像データを表示処理する表示処理工程と、
記録制御手段が、前記表示処理工程によって前記映像データが表示処理されている間に、前記映像データに所定の映像処理を施して表示させるための映像処理操作を受け付けた場合に、前記映像処理操作とその操作時刻を示す履歴情報をメモリに記録する記録工程と、
再生制御手段が、前記履歴情報に従って映像処理が施される前後の映像データを再表示するために、該当する映像データを取得して再生するように前記履歴情報に従って前記受信工程における受信を制御するとともに、前記履歴情報が示す操作時刻と映像処理操作に従って、前記受信工程で受信した映像データに映像処理を施し、前記表示処理工程に表示処理させる再生制御工程と、を有することを特徴とする表示処理装置の制御方法。
【請求項８】
受信手段が、外部装置から映像データを受信する受信工程と、
表示処理手段が、前記受信工程で受信した前記映像データを表示処理する表示処理工程と、
記録制御手段が、前記表示処理工程によって前記映像データが表示処理されている間に前記映像データに所定の映像処理を施して表示させるための映像処理操作を受け付けた場合に、前記映像処理操作とその操作時刻を示す履歴情報をメモリに記録する記録工程と、
再生制御手段が、前記履歴情報に従って映像処理が施される前後の映像データを再表示するために、該当する映像データを取得して再生するように前記履歴情報に従って前記受信工程を制御するとともに、前記履歴情報が示す映像処理操作により施される映像処理を前記受信工程で受信する映像データの配信元である外部装置に実行させるコマンドを前記履歴情報が示す時刻情報に従って発行し、前記配信元である外部装置より映像処理が施された映像データを受信して、前記表示処理工程による表示処理を実行させる再生制御工程と、を有することを特徴とする表示処理装置の制御方法。
【請求項９】
受信手段が、複数のサイズの映像データを送信可能な外部装置から映像データを受信する受信工程と、
表示処理手段が、前記受信工程で受信した前記映像データを表示処理する表示処理工程と、
記録制御手段が、前記表示処理工程によって前記映像データが表示処理されている間に受信する映像サイズの切替操作を受け付けた場合に、前記切替操作とその操作時刻を示す履歴情報をメモリに記録する記録工程と、
再生制御手段が、前記履歴情報に従って前記切替操作の前後の映像サイズの映像データを再表示するために、該当するサイズの該当する映像データを取得して再生するように、前記受信工程によって受信する映像データを切り替える再生制御工程と、を有することを特徴とする表示処理装置の制御方法。
【請求項１０】
映像データを配信する複数の映像配信装置と、前記複数の映像配信装置から配信された映像を記録する映像記録装置と、前記映像配信装置及び前記映像記録装置から配信された映像を表示処理する表示処理装置とを備えた表示処理システムであって、
前記表示処理装置が、
前記複数の映像配信装置のうちの一つから配信された映像データを受信する受信手段と、
前記受信手段で受信した前記映像データを表示処理する表示処理手段と、
前記表示処理手段によって前記映像データが表示処理されている間になされた、表示すべき映像データの切替操作とその操作時刻を示す履歴情報を記録する記録手段と、
前記履歴情報に従って前記切替操作の前後の映像データを再表示するために、前記履歴情報に記録された切替操作に従って前記映像記録装置から該当する映像データを選択的に取得して再生する再生制御手段と、を備えることを特徴とする表示処理システム。
【請求項１１】
請求項１から５のいずれか１項に記載の表示処理装置の各手段として、コンピュータを機能させるためのプログラム。
【手続補正２】
【補正対象書類名】明細書
【補正対象項目名】発明の名称
【補正方法】変更
【補正の内容】
【発明の名称】表示処理装置及びその制御方法並びに表示処理システム、プログラム
【手続補正３】
【補正対象書類名】明細書
【補正対象項目名】０００７
【補正方法】変更
【補正の内容】
【０００７】
上記の目的を達成するための本発明の一態様による表示処理装置は、以下の構成を備える。すなわち、
複数の外部装置からの映像データのうち表示すべき映像データを選択的に受信する受信手段と、
前記受信手段で受信した前記映像データを表示処理する表示処理手段と、
前記表示処理手段によって前記映像データが表示処理されている間になされた、表示すべき映像データの切替操作とその操作時刻を示す履歴情報を記録する記録手段と、
前記履歴情報に従って前記切替操作の前後の映像データを再表示するために、該当する映像データを取得して再生するように前記履歴情報に従って前記受信手段を制御する再生制御手段と、を備える。
【手続補正４】
【補正対象書類名】明細書
【補正対象項目名】０００８
【補正方法】変更
【補正の内容】
【０００８】
また、上記の目的を達成するための本発明の他の態様による表示処理装置の制御方法は、
受信手段が、複数の外部装置からの映像データのうち表示すべき映像データを選択的に受信する受信工程と、
表示処理手段が、前記受信工程で受信した前記映像データを表示処理する表示処理工程と、
記録制御手段が、前記表示処理工程によって前記映像データが表示処理されている間になされた、表示すべき映像データの切替操作とその操作時刻を示す履歴情報をメモリに記録する記録工程と、
再生制御手段が、前記履歴情報に従って前記切替操作の前後の映像データを再表示するために、該当する映像データを取得して再生するように前記履歴情報に従って前記受信工程における受信を制御する再生制御工程と、を有する。
【手続補正５】
【補正対象書類名】明細書
【補正対象項目名】００６２
【補正方法】変更
【補正の内容】
【００６２】
ステップＳ５０７またはステップＳ５０８の処理の後、ステップＳ１３０１において、制御部１０２は、操作部１１０を介してユーザによる映像サイズの切り替え操作（サイズ切替操作という）がなされたか否かを判定する。切り替えがなされたと判定された場合は、処理はステップＳ１３０２へ進む。ステップＳ１３０２において、制御部１０２は、当該サイズ切替操作に応じて映像サイズを切り替える。そしてステップＳ１３０３において、制御部１０２は、カメラ切替操作及び映像サイズ切替操作の履歴を図１２のフォーマットに従い、記録部１０５へ記録する。